(57)【特許請求の範囲】
【請求項１】
積み重ね可能な物品と、該物品に搭載され、互いに電気的に接続されたＩＣチップおよびアンテナと、を備えてなり、
前記物品は平面視略円形状であり、前記物品の重心と、前記アンテナの重心とが重ならないように、前記物品の一領域に前記アンテナが配設され、
前記物品の外縁部において、少なくとも前記物品を積み重ねた状態でそれらを側面から見た場合に視認可能な位置であって、かつ、前記物品の中心を基準として等間隔に前記アンテナの配置を示す目印が少なくとも２つ設けられたことを特徴とするＲＦ機能搭載物品。
【請求項２】
前記積み重ね可能な物品は、皿本体と、該皿本体の外底部に一体に設けられた糸底とからなる皿であり、
前記アンテナが前記糸底の内側に配設されたことを特徴とする請求項１に記載のＲＦ機能搭載物品。
【発明の詳細な説明】
【技術分野】
【０００１】
本発明は、積み重ね可能な物品と、その物品に搭載され、互いに電気的に接続されたＩＣチップおよびアンテナと、を備えてなるＲＦ機能搭載物品に関する。
【背景技術】
【０００２】
物品の識別システムとしては、個体識別情報を格納したＲＦタグから、電磁波または電波を媒体として、近距離（数ｃｍ〜数ｍ）の無線通信により情報の送受信を行うＲＦＩＤ（Ｒａｄｉｏ  Ｆｒｅｑｕｅｎｃｙ  ＩＤｅｎｔｉｆｉｃａｔｉｏｎ）システムが用いられている。このＲＦＩＤシステムは、非接触型ＩＣタグなどのＲＦタグと、情報書込／読出装置（リーダライタ）との間で電磁波または電波による通信を行い、離れた位置にあるＲＦタグの情報を読み取ったり、ＲＦタグに情報を書き込んだりするものである。
【０００３】
このようなＲＦＩＤシステムは、配送システム、在庫管理システム、販売システム、集計システムなど、種々のシステムに応用することが検討されている。
その応用例としては、例えば、回転寿司店における皿の集計（精算）、客の趣向把握、寿司ネタの鮮度管理などを行うシステムが挙げられる。このシステムでは、寿司を載せる皿に装着した非接触型ＩＣタグに、寿司の種類、寿司を作った時刻、寿司の売値などの情報が記録されている。
非接触型ＩＣタグに寿司の種類を記録しておくことにより、客が寿司の載った皿を取ると、その客の趣向を把握することができる。
また、非接触型ＩＣタグに寿司を作った時刻を記録しておくことにより、寿司の鮮度を管理して、客に対して常に作りたての寿司を提供することができるとともに、寿司を廃棄する量を低減することができる。
【０００４】
さらに、非接触型ＩＣタグに寿司の種類および売値を記録しておくことにより、客の支払うべき金額（代金）を精算することができる。すなわち、客が食事を終えると、客が食べた寿司が載っていた皿を積み重ねて、これらの皿の非接触型ＩＣタグと通信し、非接触型ＩＣタグから情報（寿司の種類および売値）を取得し、代金を精算する。
このような回転寿司における集計システムに用いられる皿としては、皿の糸底の内側に非接触型ＩＣタグを配設し、さらに、そのアンテナコイルを糸底の内壁面に設けたもの（例えば、特許文献１参照）、アンテナコイルを糸底の中央部に設けたもの（例えば、特許文献２参照）や、アンテナコイルを糸底内に埋設したもの（例えば、特許文献３参照）などが知られている。
【先行技術文献】
【特許文献】
【０００５】
【特許文献１】特開２０００−１３７７７８号公報
【特許文献２】特開２００１−１８４４７１号公報
【特許文献２】特開２００１−１９０３８６号公報
【発明の概要】
【発明が解決しようとする課題】
【０００６】
上記の皿を用いた集計システムでは、リーダライタと、非接触型ＩＣタグとの間で情報の送受信を行うために、例えば、固定式リーダライタ側のアンテナの上に積み重ねた皿を置いたり、積み重ねた皿の上に手持式リーダライタをかざしたりしている。
ところが、上記の皿が多数枚積み重ねられていると、それぞれの非接触型ＩＣタグのアンテナが干渉し合って、それぞれの非接触型ＩＣタグと通信できないという問題があった。
【０００７】
本発明は、上記事情に鑑みてなされたものであって、多数個積み重ねても、それぞれの非接触型ＩＣタグとの通信が可能なＲＦ機能搭載物品を提供することを目的とする。
【課題を解決するための手段】
【０００８】
本発明のＲＦ機能搭載物品は、積み重ね可能な物品と、該物品に搭載され、互いに電気的に接続されたＩＣチップおよびアンテナと、を備えてなり、前記物品は平面視略円形状であり、前記物品の重心と、前記アンテナの重心とが重ならないように、前記物品の一領域に前記アンテナが配設され、前記物品の外縁部において、少なくとも前記物品を積み重ねた状態でそれらを側面から見た場合に視認可能な位置であって、かつ、前記物品の中心を基準として等間隔に前記アンテナの配置を示す目印が少なくとも２つ設けられたことを特徴とする。
【０００９】
前記積み重ね可能な物品は、皿本体と、該皿本体の外底部に一体に設けられた糸底とからなる皿であり、前記アンテナが前記糸底の内側に配設されたことが好ましい。
【発明の効果】
【００１０】
本発明のＲＦ機能搭載物品によれば、積み重ね可能な物品の重心と、アンテナの重心とが重ならないように、物品の一領域にアンテナが配設され、物品の外縁部において、少なくとも物品を積み重ねた状態でそれらを側面から見た場合に視認可能な位置であって、かつ、物品の中心を基準として等間隔にアンテナの配置を示す目印が少なくとも２つ設けられたので、ＲＦ機能搭載物品を多数積み重ねた場合、これらの重心を中心として、基準となるＲＦ機能搭載物品に対して、他のＲＦ機能搭載物品を回転させて、それぞれの目印が完全に重なり合わないようにすることにより、それぞれのアンテナを完全に重なり合わない位置に配することができる。その結果、それぞれのＲＦ機能搭載物品のアンテナが干渉し合うことがなくなり、それぞれのＲＦ機能搭載物品と、リーダライタとの間で、非接触の通信を行うことができる。すなわち、多数積み重ねられたＲＦ機能搭載物品を、それらの側面から見て、それぞれの目印が完全に重なり合わないようにするだけで、それぞれのアンテナを完全に重なり合わない位置に配することができる。また、アンテナの配置を示す、少なくとも２つの目印が、積み重ね可能な物品の中心を基準として等間隔に設けられているので、多数積み重ねられたＲＦ機能搭載物品を、見やすい位置から見て、目印のうち少なくとも１つが完全に重なり合わないようにすれば、それぞれのアンテナを完全に重なり合わない位置に配することができる。
【図面の簡単な説明】
【００１１】
【図１】本発明のＲＦ機能搭載物品の第一の実施形態を示す概略構成図であり、（ａ）は斜視図、（ｂ）は底面図である。
【図２】本発明のＲＦ機能搭載物品の第一の実施形態の使用方法を示す概略正面図である。
【図３】本発明のＲＦ機能搭載物品の第一の実施形態の使用方法を示す概略底面図である。
【図４】本発明のＲＦ機能搭載物品の第二の実施形態を示す概略底面図である。
【図５】本発明のＲＦ機能搭載物品の第三の実施形態を示す概略底面図である。
【発明を実施するための形態】
【００１２】
本発明のＲＦ機能搭載物品の実施の形態について説明する。
なお、この実施の形態は、発明の趣旨をより良く理解させるために具体的に説明するものであり、特に指定のない限り、本発明を限定するものではない。
【００１３】
（１）第一の実施形態
図１は、本発明のＲＦ機能搭載物品の第一の実施形態を示す概略構成図であり、（ａ）は斜視図、（ｂ）は底面図である。
この実施形態では、積み重ね可能な物品として、回転寿司店にて寿司を載せるために用いられる皿を例示する。
なお、本発明における「積み重ね可能な物品」とは、皿、皿以外のコップ（グラス）、茶碗などの食器類；ＣＤ、ＤＶＤなどの光ディスク；バケツなどの容器；各種パレットなどであって、積み重ねた状態で、その重心（中心）を中心として回転可能であり、平面視略円形状の物品である。
なお、本発明において、「略円形」とは、正五角形以上の正多角形も含む。
【００１４】
このＲＦ機能搭載物品１０は、皿１１と、皿１１に搭載され、互いに電気的に接続されたＩＣチップ１２およびコイル状のアンテナ１３と、アンテナ１３の配置を示す目印１４，１５とから概略構成されている。
皿１１は、平面視円形状でかつその表面（寿司を載せる面）１６ａが緩やかな上向きの曲面をなす皿本体１６と、皿本体１６の表面１６ａとは反対側の面（裏面）１６ｂに突設され、皿本体１６と一体をなす平面視円環状の糸底１７とから構成されている。
【００１５】
ＩＣチップ１２およびアンテナ１３は、糸底１７の内側において、皿本体１６の裏面１６ｂに配設されている。また、ＩＣチップ１２およびアンテナ１３は、粘着材（図示略）または接着材（図示略）により、皿本体１６の裏面１６ｂに固着されている。
なお、コイル状のアンテナ１３は、平面視円環状をなしている。
【００１６】
また、皿１１の重心（ここでは、皿１１が平面視円形状であるので、皿１１の重心は、皿１１の中心、すなわち、糸底１７の中心と等しい。）Ｃ１１と、アンテナ１３の重心（ここでは、アンテナ１３が平面視円環状であるので、アンテナ１３の重心は、アンテナ１３の中心と等しい。）Ｃ１２とが重ならないように、皿本体１６の裏面１６ｂにアンテナ１３が配設されている。
ここでは、糸底１７の半径（糸底１７の内径の半分）をＲ、アンテナ１３の半径（アンテナ１３の内径の半分）をｒとした場合、半径Ｒと半径ｒが、Ｒ＞２ｒの関係を満たし、さらに、糸底１７の内側面１７ａの近傍に、アンテナ１３の外周の一部を配置することにより、皿１１の重心Ｃ１１と、アンテナ１３の重心Ｃ１２とが重ならないようになっている。
【００１７】
より詳細には、アンテナ１３の重心Ｃ１２は、アンテナ１３が形成する面の重心であって、そのアンテナ１３が形成する面の重心と、皿１１の重心Ｃ１１とが重ならないようになっている。
ここでは、アンテナ１３が平面視円環状であるので、アンテナ１３が形成する面の重心は、アンテナ１３の重心Ｃ１２の中心と等しい。
なお、例えば、アンテナ１３が形成する面が三角形である場合、その重心は、三角形の各頂点と対辺の中点を結ぶ線分の交点のことである。例えば、アンテナ１３が形成する面が四角形である場合、その重心は、四角形の各辺の中点を結んでできる平行四辺形の交点のことである。
【００１８】
また、皿本体１６の外縁部において、ＲＦ機能搭載物品１０（皿１１）を積み重ねた状態で、それらを側面から見た場合に視認可能な位置であって、かつ、ＲＦ機能搭載物品１０（皿１１）の中心を基準として等間隔に、アンテナ１３の配置を示す、２つの目印１４，１５が設けられている。すなわち、ＲＦ機能搭載物品１０（皿１１）の中心を基準として、２回の回転対称な位置、言い換えれば、ＲＦ機能搭載物品１０（皿１１）の中心を挟んで対向する位置に、２つの目印１４，１５が設けられている。
目印１４は、アンテナ１３の外周の一部が糸底１７の内側面１７ａに最も近接している位置（点）を示すために、皿本体１６の裏面１６ｂであって、皿本体１６の縁部およびその近傍から、皿本体１６の表面１６ａへ延在するように設けられている。
一方、目印１５は、皿１１（糸底１７）の中心を挟んで、目印１４と対向する位置に、皿本体１６の裏面１６ｂであって、皿本体１６の縁部およびその近傍から、皿本体１６の表面１６ａへ延在するように設けられている。
【００１９】
目印１４，１５は、皿本体１６の裏面１６ｂおよび表面１６ａに施された線状または点状の印刷、皿本体１６の裏面１６ｂおよび表面１６ａに刻設された線状または点状の切欠などからなる。
また、２つの目印１４，１５の色、形状、大きさは同一であっても、異なっていてもよい。
しかしながら、ＲＦ機能搭載物品１０を積み重ねた場合、目印１４と目印１５が完全に重なり合っても、それぞれのＲＦ機能搭載物品１０のアンテナ１３が重なり合わないので、それぞれのアンテナ１３が干渉し合うことがなく、それぞれのＲＦ機能搭載物品１０と、リーダライタとの間で、非接触の通信を行うことができる。これに対して、目印１４同士が完全に重なり合うと、それぞれのＲＦ機能搭載物品１０のアンテナ１３が完全に重なり合って、それぞれのアンテナ１３が干渉し合い、それぞれのＲＦ機能搭載物品１０と、リーダライタとの間で、非接触の通信を行うことができない。したがって、目印１４同士が完全に重なり合うことを防止するために、２つの目印１４，１５の色、形状、大きさが異なっており、目印１４と目印１５を明確に区別できることが好ましい。
【００２０】
皿１１としては、陶器、磁器、ガラス、木材、アクリル樹脂、アクリロニトリル−ブタジエン−スチレン共重合体（以下、「ＡＢＳ」と略す。）樹脂、耐熱ＡＢＳ樹脂、メラミン樹脂、ユリア樹脂などからなるものが用いられる。
【００２１】
ＩＣチップ１２としては、特に限定されず、アンテナ１３を介して非接触状態にて情報の書き込みおよび読み出しが可能であり、非接触型ＩＣタグや非接触型ＩＣラベル、あるいは、非接触型ＩＣカードなどのＲＦＩＤメディアに適用可能なものであればいかなるものでも用いられる。
【００２２】
アンテナ１３は、銅線などの金属線が半径ｒの円環状に巻き回されてなるコイル状をなしている。
あるいは、アンテナ１３は、皿本体１６の裏面１６ｂに、ポリマー型導電インクを用いて所定のパターンにスクリーン印刷、インクジェット印刷などの印刷法により形成されてなるもの、導電性箔をエッチングしてなるもの、金属メッキしてなるものであり、半径ｒの円環状に巻き回されてなるコイル状をなしている。
【００２３】
ポリマー型導電インクとしては、例えば、銀粉末、金粉末、白金粉末、アルミニウム粉末、パラジウム粉末、ロジウム粉末、カーボン粉末（カーボンブラック、カーボンナノチューブなど）などの導電微粒子が樹脂組成物に配合されたものが挙げられる。
【００２４】
樹脂組成物として熱硬化型樹脂を用いれば、ポリマー型導電インクは、２００℃以下、例えば、１００〜１５０℃程度でアンテナ１３をなす塗膜を形成することができる熱硬化型となる。アンテナ１３をなす塗膜の電気の流れる経路は、塗膜を構成する導電微粒子が互いに接触することにより形成され、この塗膜の抵抗値は１０-5Ω・ｃｍオーダーである。
また、本発明におけるポリマー型導電インクとしては、熱硬化型の他にも、光硬化型、浸透乾燥型、溶剤揮発型といった公知のものが用いられる。
【００２５】
光硬化型のポリマー型導電インクは、光硬化性樹脂を樹脂組成物に含むものであり、硬化時間が短いので、製造効率を向上させることができる。光硬化型のポリマー型導電インクとしては、例えば、熱可塑性樹脂のみ、あるいは、熱可塑性樹脂と架橋性樹脂（特に、ポリエステルとイソシアネートによる架橋系樹脂など）とのブレンド樹脂組成物に、導電微粒子が６０質量％以上配合され、ポリエステル樹脂が１０質量％以上配合されたもの、すなわち、溶剤揮発型あるいは架橋／熱可塑併用型（ただし、熱可塑型が５０質量％以上である）のものや、熱可塑性樹脂のみ、あるいは、熱可塑性樹脂と架橋性樹脂（特に、ポリエステルとイソシアネートによる架橋系樹脂など）とのブレンド樹脂組成物に、ポリエステル樹脂が１０質量％以上配合されたもの、すなわち、架橋型あるいは架橋／熱可塑併用型のものなどが好適に用いられる。
【００２６】
また、アンテナ１３をなす導電性箔としては、銅箔、銀箔、金箔、白金箔、アルミニウム箔などが挙げられる。
さらに、アンテナ１３をなす金属メッキとしては、銅メッキ、銀メッキ、金メッキ、白金メッキなどが挙げられる。
【００２７】
アンテナ１３の長さ（銅線の全長）は、非接触ＩＣカードなどの非接触ＩＣモジュールに利用できる短波帯〈ＨＦ〉、極超短波帯〈ＵＨＦ〉、マイクロ波帯などの電波帯の周波数（３ＭＨｚ〜３０ＧＨｚ）の１／２波長に相当する長さとなっている。
【００２８】
次に、図１〜３を参照して、ＲＦ機能搭載物品１０の使用方法を説明するとともに、ＲＦ機能搭載物品１０の作用を説明する。
このＲＦ機能搭載物品１０は、回転寿司店にて寿司を載せるための皿として用いられる。
ここで、回転寿司店のシステムの概要を説明する。
回転寿司店の店内には、無端の閉ループ状のコンベアが設けられ、このコンベアに沿って客席が設けられている。
寿司は皿に載せられ、コンベアによって客席の前へと運ばれる。
客はコンベアによって運ばれてくる皿の中から、好みの寿司が載せられている皿を取る。
そして、客は寿司を食べ終えた後、テーブルの上に皿を重ねていく。
客が食事を終えると、店員が皿の枚数を、その色別または模様別に数えて、代金を精算する。
【００２９】
図２は、本発明のＲＦ機能搭載物品の第一の実施形態の使用方法を示す概略正面図であり、ＲＦ機能搭載物品を多数積み重ねた状態を示す図である。
ここでは、説明を簡単にするために、下層の３つのＲＦ機能搭載物品１０Ａ，１０Ｂ，１０Ｃの関係について説明する。
図２および３に示すように、３つのＲＦ機能搭載物品１０Ａ，１０Ｂ，１０Ｃを積み重ねる場合、それぞれのＲＦ機能搭載物品１０の皿本体１６の裏面１６ｂであって、皿本体１６の縁部およびその近傍から、皿本体１６の表面１６ａへ延在するに設けられた目印１４Ａ，１４Ｂ，１４Ｃが完全に重なり合わないようにする。
すなわち、ＲＦ機能搭載物品１０Ａ上にＲＦ機能搭載物品１０Ｂを重ねた状態で、これらの重心（中心）Ｃ１１を中心として、ＲＦ機能搭載物品１０Ａに対してＲＦ機能搭載物品１０Ｂを回転させることにより、これらの側面から見て、ＲＦ機能搭載物品１０Ａの目印１４ＡとＲＦ機能搭載物品１０Ｂの目印１４Ｂが完全に重なり合わないようにする。これにより、ＲＦ機能搭載物品１０Ａのアンテナ１３Ａと、ＲＦ機能搭載物品１０Ｂのアンテナ１３Ｂとが完全に重なり合わないように（図３参照）、ＲＦ機能搭載物品１０Ａ上にＲＦ機能搭載物品１０Ｂが載置される。
【００３０】
さらに、ＲＦ機能搭載物品１０Ｂ上にＲＦ機能搭載物品１０Ｃを重ねた状態で、これらの重心（中心）Ｃ１１を中心として、ＲＦ機能搭載物品１０ＡおよびＲＦ機能搭載物品１０Ｂに対してＲＦ機能搭載物品１０Ｃを回転させることにより、これらの側面から見て、目印１４Ａおよび目印１４Ｂと、ＲＦ機能搭載物品１０Ｃの目印１４Ｃとが完全に重なり合わないようにする。これにより、アンテナ１３Ａおよびアンテナ１３Ｂと、ＲＦ機能搭載物品１０Ｃのアンテナ１３Ｃとが完全に重なり合わないように（図３参照）、ＲＦ機能搭載物品１０Ｂ上にＲＦ機能搭載物品１０Ｃが載置される。
【００３１】
このように目印１４Ａ，１４Ｂ，１４Ｃが完全に重なり合わないように、ＲＦ機能搭載物品１０Ａ，１０Ｂ，１０Ｃを積み重ねることにより、これらのアンテナ１３Ａ，１３Ｂ，１３Ｃが完全に重なり合わない位置に配される。
ところで、目印１５は、皿１１（糸底１７）の中心を挟んで、目印１４と対向する位置に設けられているので、目印１５Ａ，１５Ｂ，１５Ｃが完全に重なり合わないように、ＲＦ機能搭載物品１０Ａ，１０Ｂ，１０Ｃを積み重ねても、これらのアンテナ１３Ａ，１３Ｂ，１３Ｃが完全に重なり合わない位置に配される。
【００３２】
次いで、このように積み重ねられたＲＦ機能搭載物品１０を、固定式リーダライタのアンテナ（図示略）の上に載置するか、あるいは、積み重ねられたＲＦ機能搭載物品１０の上に手持式リーダライタ（図示略）をかざす。
これにより、それぞれのＲＦ機能搭載物品１０と、リーダライタとの間で、非接触の通信を行うことができる。そして、リーダライタにより、それぞれのＲＦ機能搭載物品１０のＩＣチップ１２に記録されていた寿司の種類、寿司の売値などの情報を読み出し、その情報に基づいて、代金を精算する。
【００３３】
このＲＦ機能搭載物品１０によれば、皿１１の重心Ｃ１１と、アンテナ１３の重心Ｃ１２とが重ならないように、皿本体１６の裏面１６ｂにアンテナ１３が配設され、アンテナ１３の配置を示す、２つの目印１４，１５が、ＲＦ機能搭載物品１０（皿１１）の中心を挟んで対向する位置に設けられているので、ＲＦ機能搭載物品１０を多数積み重ねた場合、これらの重心（中心）Ｃ１１を中心として、基準となるＲＦ機能搭載物品１０（例えば、一番下のＲＦ機能搭載物品１０Ａ）に対して、他のＲＦ機能搭載物品１０（１０Ｂ）を回転させて、それぞれの目印１４（１５）が完全に重なり合わないようにすることにより、それぞれのアンテナ１３が完全に重なり合わない位置に配される。その結果、それぞれのＲＦ機能搭載物品１０のアンテナ１３が干渉し合うことがなくなり、それぞれのＲＦ機能搭載物品１０と、リーダライタとの間で、非接触の通信を行うことができる。すなわち、多数積み重ねられたＲＦ機能搭載物品１０を、それらの側面から見て、それぞれの目印１４（１５）が完全に重なり合わないようにするだけで、それぞれのアンテナ１３を完全に重なり合わない位置に配することができる。
また、アンテナ１３の配置を示す、２つの目印１４，１５が、ＲＦ機能搭載物品１０（皿１１）の中心を挟んで対向する位置に設けられているので、多数積み重ねられたＲＦ機能搭載物品１０を、見やすい位置から見て、目印１４，１５のいずれか一方が完全に重なり合わないようにすれば、それぞれのアンテナ１３を完全に重なり合わない位置に配することができる。
【００３４】
また、糸底１７の内側において、皿本体１６の裏面１６ｂにＩＣチップ１２およびアンテナ１３が設けられているので、ＩＣチップ１２およびアンテナ１３が皿１１の使用を妨げることがない。また、ＩＣチップ１２およびアンテナ１３の存在を気にすることなく、ＲＦ機能搭載物品１０（皿１１）を使用できる。
【００３５】
なお、この実施形態では、糸底１７の内側において、皿本体１６の裏面１６ｂにＩＣチップ１２およびアンテナ１３が直接設けられた場合を例示したが、本発明はこれに限定されない。本発明にあっては、糸底の内側において、皿本体の裏面に、基材と、基材の一方の面に設けられたＩＣチップおよびアンテナを備えたインレットを設けてもよい。
インレットの基材としては、ポリエチレンテレフタレート（ＰＥＴ）、グリコール変性ポリエチレンテレフタレート（ＰＥＴ−Ｇ）、ポリブチレンテレフタレート（ＰＢＴ）、ポリエチレンナフタレート（ＰＥＮ）などのポリエステル樹脂からなる基材；ポリエチレン（ＰＥ）、ポリプロピレン（ＰＰ）などのポリオレフィン樹脂からなる基材；ポリフッ化ビニル、ポリフッ化ビニリデン、ポリ４フッ化エチレンなどのポリフッ化エチレン系樹脂からなる基材；ナイロン６、ナイロン６，６などのポリアミド樹脂からなる基材；ポリ塩化ビニル（ＰＶＣ）、エチレン−酢酸ビニル共重合体、ポリビニルアルコール、ビニロンなどのビニル重合体からなる基材；ポリメタクリル酸メチル、ポリメタクリル酸エチル、ポリアクリル酸エチル、ポリアクリル酸ブチルなどのアクリル系樹脂からなる基材；ポリスチレンからなる基材；ポリカーボネート（ＰＣ）からなる基材；ポリアリレートからなる基材；ポリイミドからなる基材；上質紙、薄葉紙、グラシン紙、硫酸紙などの紙からなる基材などが用いられる。
【００３６】
また、この実施形態では、糸底１７の内側において、皿本体１６の裏面１６ｂにＩＣチップ１２およびアンテナ１３が直接設けられた場合を例示したが、本発明はこれに限定されない。本発明にあっては、糸底の内側において、皿本体の裏面に、少なくともＩＣチップおよびアンテナを被覆するように種々の樹脂からなる被覆材が設けられていてもよい。
被覆材としては、ポリカーボネート樹脂、ポリプロピレン樹脂、ポリエチレン樹脂、ポリスチレン樹脂、アクリル樹脂、ポリエステル樹脂、ポリフェレニンサルファイド樹脂、ＡＢＳ樹脂、ポリ塩化ビニル樹脂、ポリウレタン樹脂、フッ素樹脂、シリコーン樹脂などが挙げられる。
【００３７】
また、この実施形態では、アンテナ１３が半径ｒの円環状に巻き回されたコイル状をなす場合を例示したが、本発明はこれに限定されない。本発明にあっては、アンテナが楕円環状に巻き回されたコイル状をなしていてもよい。
【００３８】
（２）第二の実施形態
図４は、本発明のＲＦ機能搭載物品の第二の実施形態を示す概略底面図である。
図４において、図１〜３に示したＲＦ機能搭載物品１０と同じ構成要素には同一の符号を付して説明を省略する。
このＲＦ機能搭載物品２０は、皿１１と、皿１１に搭載され、互いに電気的に接続されたＩＣチップ１２およびコイル状のアンテナ１３と、アンテナ１３の配置を示す目印２１，２２，２３とから概略構成されている。
【００３９】
ＲＦ機能搭載物品２０では、皿本体１６の外縁部において、ＲＦ機能搭載物品２０（皿１１）を積み重ねた状態で、それらを側面から見た場合に視認可能な位置であって、かつ、ＲＦ機能搭載物品２０（皿１１）の中心を基準として等間隔に、アンテナ１３の配置を示す、３つの目印２１，２２，２３が設けられている。すなわち、ＲＦ機能搭載物品２０（皿１１）の中心を基準として１２０°おきに、３つの目印２１，２２，２３が設けられている。
目印２１は、アンテナ１３の外周の一部が糸底１７の内側面１７ａに最も近接している位置（点）を示すために、皿本体１６の裏面１６ｂであって、皿本体１６の縁部およびその近傍から、皿本体１６の表面１６ａへ延在するように設けられている。
また、目印２２は、ＲＦ機能搭載物品２０（皿１１）の中心を基準とし、皿本体１６の表面１６ａ側から見て、その外縁部に沿って時計回りに、目印２１から１２０°離れた位置において、皿本体１６の裏面１６ｂであって、皿本体１６の縁部およびその近傍から、皿本体１６の表面１６ａへ延在するように設けられている。
さらに、目印２３は、ＲＦ機能搭載物品２０（皿１１）の中心を基準とし、皿本体１６の表面１６ａ側から見て、その外縁部に沿って反時計回りに、目印２１から１２０°離れた位置（外縁部に沿って時計回りに、目印２１から２４０°離れた位置）において、皿本体１６の裏面１６ｂであって、皿本体１６の縁部およびその近傍から、皿本体１６の表面１６ａへ延在するように設けられている。
【００４０】
目印２１，２２，２３は、皿本体１６の裏面１６ｂおよび表面１６ａに施された線状または点状の印刷、皿本体１６の裏面１６ｂおよび表面１６ａに刻設された線状または点状の切欠などからなる。
また、３つの目印２１，２２，２３の色、形状、大きさは同一であっても、異なっていてもよい。
しかしながら、ＲＦ機能搭載物品２０を積み重ねた場合、目印２１と、目印２２または目印２３とが完全に重なり合っても、それぞれのＲＦ機能搭載物品２０のアンテナ１３が重なり合わないので、それぞれのアンテナ１３が干渉し合うことがなく、それぞれのＲＦ機能搭載物品２０と、リーダライタとの間で、非接触の通信を行うことができる。これに対して、目印２１同士が完全に重なり合うと、それぞれのＲＦ機能搭載物品２０のアンテナ１３が完全に重なり合って、それぞれのアンテナ１３が干渉し合い、それぞれのＲＦ機能搭載物品１０と、リーダライタとの間で、非接触の通信を行うことができない。したがって、目印２１同士が完全に重なり合うことを防止するために、３つの目印２１，２２，２３の色、形状、大きさが異なっており、目印２１と、目印２２および目印２３とを明確に区別できることが好ましい。
【００４１】
このＲＦ機能搭載物品２０によれば、皿１１の重心Ｃ１１と、アンテナ１３の重心Ｃ１２とが重ならないように、皿本体１６の裏面１６ｂにアンテナ１３が配設され、アンテナ１３の配置を示す、３つの目印２１，２２，２３が、ＲＦ機能搭載物品２０（皿１１）の中心を基準として等間隔に設けられているので、ＲＦ機能搭載物品２０を多数積み重ねた場合、これらの重心（中心）Ｃ１１を中心として、基準となるＲＦ機能搭載物品２０に対して、他のＲＦ機能搭載物品２０を回転させて、それぞれの目印２１（２２，２３）が完全に重なり合わないようにすることにより、それぞれのアンテナ１３が完全に重なり合わない位置に配される。その結果、それぞれのＲＦ機能搭載物品２０のアンテナ１３が干渉し合うことがなくなり、それぞれのＲＦ機能搭載物品２０と、リーダライタとの間で、非接触の通信を行うことができる。すなわち、多数積み重ねられたＲＦ機能搭載物品２０を、それらの側面から見て、それぞれの目印２１（２２，２３）が完全に重なり合わないようにするだけで、それぞれのアンテナ１３を完全に重なり合わない位置に配することができる。
また、アンテナ１３の配置を示す、３つの目印２１，２２，２３が、ＲＦ機能搭載物品２０（皿１１）の中心を基準として等間隔に設けられているので、多数積み重ねられたＲＦ機能搭載物品２０を、見やすい位置から見て、目印２１，２２，２３のいずれか１つが完全に重なり合わないようにすれば、それぞれのアンテナ１３を完全に重なり合わない位置に配することができる。
【００４２】
なお、この実施形態では、糸底１７の内側において、皿本体１６の裏面１６ｂにＩＣチップ１２およびアンテナ１３が直接設けられた場合を例示したが、本発明はこれに限定されない。本発明にあっては、糸底の内側において、皿本体の裏面にＩＣチップおよびアンテナを備えたインレットを設けてもよい。
また、この実施形態では、糸底１７の内側において、皿本体１６の裏面１６ｂにＩＣチップ１２およびアンテナ１３が直接設けられた場合を例示したが、本発明はこれに限定されない。本発明にあっては、糸底の内側において、皿本体の裏面に、少なくともＩＣチップおよびアンテナを被覆するように種々の樹脂からなる被覆材が設けられていてもよい。
【００４３】
また、この実施形態では、アンテナ１３が半径ｒの円環状に巻き回されたコイル状をなす場合を例示したが、本発明はこれに限定されない。本発明にあっては、アンテナが楕円環状に巻き回されたコイル状をなしていてもよい。
【００４４】
（３）第三の実施形態
図５は、本発明のＲＦ機能搭載物品の第三の実施形態を示す概略底面図である。
図５において、図１〜３に示したＲＦ機能搭載物品１０と同じ構成要素には同一の符号を付して説明を省略する。
このＲＦ機能搭載物品３０は、皿１１と、皿１１に搭載され、互いに電気的に接続されたＩＣチップ１２およびコイル状のアンテナ１３と、アンテナ１３の配置を示す目印３１，３２，３３，３４とから概略構成されている。
【００４５】
ＲＦ機能搭載物品３０では、皿本体１６の外縁部において、ＲＦ機能搭載物品３０（皿１１）を積み重ねた状態で、それらを側面から見た場合に視認可能な位置であって、かつ、ＲＦ機能搭載物品３０（皿１１）の中心を基準として等間隔に、アンテナ１３の配置を示す、４つの目印３１，３２，３３，３４が設けられている。すなわち、ＲＦ機能搭載物品３０（皿１１）の中心を基準として９０°おきに、４つの目印３１，３２，３３，３４が設けられている。
目印３１は、アンテナ１３の外周の一部が糸底１７の内側面１７ａに最も近接している位置（点）を示すために、皿本体１６の裏面１６ｂであって、皿本体１６の縁部およびその近傍から、皿本体１６の表面１６ａへ延在するように設けられている。
【００４６】
また、目印３２は、ＲＦ機能搭載物品３０（皿１１）の中心を基準とし、皿本体１６の表面１６ａ側から見て、その外縁部に沿って時計回りに、目印３１から９０°離れた位置において、皿本体１６の裏面１６ｂであって、皿本体１６の縁部およびその近傍から、皿本体１６の表面１６ａへ延在するように設けられている。
また、目印３３は、ＲＦ機能搭載物品３０（皿１１）の中心を基準とし、皿本体１６の表面１６ａ側から見て、その外縁部に沿って時計回りに、目印３１から１８０°離れた位置において、皿本体１６の裏面１６ｂであって、皿本体１６の縁部およびその近傍から、皿本体１６の表面１６ａへ延在するように設けられている。
さらに、目印３４は、ＲＦ機能搭載物品３０（皿１１）の中心を基準とし、皿本体１６の表面１６ａ側から見て、その外縁部に沿って時計回りに、目印３１から２７０°離れた位置（外縁部に沿って反時計回りに、目印３１から９０°離れた位置）において、皿本体１６の裏面１６ｂであって、皿本体１６の縁部およびその近傍から、皿本体１６の表面１６ａへ延在するように設けられている。
【００４７】
目印３１，３２，３３，３４は、皿本体１６の裏面１６ｂおよび表面１６ａに施された線状または点状の印刷、皿本体１６の裏面１６ｂおよび表面１６ａに刻設された線状または点状の切欠などからなる。
また、４つの目印３１，３２，３３，３４の色、形状、大きさは同一であっても、異なっていてもよい。
しかしながら、ＲＦ機能搭載物品３０を積み重ねた場合、目印３１と、目印３２、目印３３または目印３４とが完全に重なり合っても、それぞれのＲＦ機能搭載物品３０のアンテナ１３が重なり合わないので、それぞれのアンテナ１３が干渉し合うことがなく、それぞれのＲＦ機能搭載物品３０と、リーダライタとの間で、非接触の通信を行うことができる。これに対して、目印３１同士が完全に重なり合うと、それぞれのＲＦ機能搭載物品３０のアンテナ１３が完全に重なり合って、それぞれのアンテナ１３が干渉し合い、それぞれのＲＦ機能搭載物品３０と、リーダライタとの間で、非接触の通信を行うことができない。したがって、目印３１同士が完全に重なり合うことを防止するために、４つの目印３１，３２，３３，３４の色、形状、大きさが異なっており、目印３１と、目印３２、目印３３および目印３４とを明確に区別できることが好ましい。
【００４８】
このＲＦ機能搭載物品３０によれば、皿１１の重心Ｃ１１と、アンテナ１３の重心Ｃ１２とが重ならないように、皿本体１６の裏面１６ｂにアンテナ１３が配設され、アンテナ１３の配置を示す、４つの目印３１，３２，３３，３４が、ＲＦ機能搭載物品３０（皿１１）の中心を基準として等間隔に設けられているので、ＲＦ機能搭載物品３０を多数積み重ねた場合、これらの重心（中心）Ｃ１１を中心として、基準となるＲＦ機能搭載物品３０に対して、他のＲＦ機能搭載物品３０を回転させて、それぞれの目印３１（３２，３３，３４）が完全に重なり合わないようにすることにより、それぞれのアンテナ１３が完全に重なり合わない位置に配される。その結果、それぞれのＲＦ機能搭載物品３０のアンテナ１３が干渉し合うことがなくなり、それぞれのＲＦ機能搭載物品３０と、リーダライタとの間で、非接触の通信を行うことができる。すなわち、多数積み重ねられたＲＦ機能搭載物品３０を、それらの側面から見て、それぞれの目印３１（３２，３３，３４）が完全に重なり合わないようにするだけで、それぞれのアンテナ１３を完全に重なり合わない位置に配することができる。
また、アンテナ１３の配置を示す、４つの目印３１，３２，３３，３４が、ＲＦ機能搭載物品３０（皿１１）の中心を基準として等間隔に設けられているので、多数積み重ねられたＲＦ機能搭載物品３０を、見やすい位置から見て、目印３１，３２，３３，３４のいずれか１つが完全に重なり合わないようにすれば、それぞれのアンテナ１３を完全に重なり合わない位置に配することができる。
【００４９】
なお、この実施形態では、糸底１７の内側において、皿本体１６の裏面１６ｂにＩＣチップ１２およびアンテナ１３が直接設けられた場合を例示したが、本発明はこれに限定されない。本発明にあっては、糸底の内側において、皿本体の裏面にＩＣチップおよびアンテナを備えたインレットを設けてもよい。
また、この実施形態では、糸底１７の内側において、皿本体１６の裏面１６ｂにＩＣチップ１２およびアンテナ１３が直接設けられた場合を例示したが、本発明はこれに限定されない。本発明にあっては、糸底の内側において、皿本体の裏面に、少なくともＩＣチップおよびアンテナを被覆するように種々の樹脂からなる被覆材が設けられていてもよい。
【００５０】
また、この実施形態では、アンテナ１３が半径ｒの円環状に巻き回されたコイル状をなす場合を例示したが、本発明はこれに限定されない。本発明にあっては、アンテナが楕円環状に巻き回されたコイル状をなしていてもよい。
【００５１】
また、上述の第一〜第三の実施形態では、アンテナ１３の配置を示す目印が等間隔に２〜４個設けられた場合を例示したが、本発明はこれに限定されない。本発明にあっては、積み重ね可能な物品の中心を基準として等間隔にアンテナの配置を示す目印が５つ以上設けられていてもよい。
【００５２】
また、上述の第一〜第三の実施形態では、ＩＣチップ１２およびアンテナ１３が、糸底１７の内側において、皿本体１６の裏面１６ｂに配設されている場合を例示したが、本発明はこれに限定されない。本発明にあっては、ＩＣチップおよびアンテナ、あるいは、ＩＣチップおよびアンテナを備えたインレットが、インサート成形などにより、皿本体に埋設されていてもよい。
【００５３】
また、上述の第一〜第三の実施形態では、皿１１の糸底１７の半径をＲ、アンテナ１３の半径をｒとした場合、半径Ｒと半径ｒが、Ｒ＞２ｒの関係を満たす場合を例示したが、本発明はこれに限定されない。本発明にあっては、皿の糸底の半径をＲ、アンテナの半径をｒとした場合、半径Ｒと半径ｒが、Ｒ＝２ｒの関係を満たしていてもよく、あるいは、半径Ｒと半径ｒが、Ｒ＜２ｒの関係を満たしていてもよい。
【００５４】
また、上述の第一〜第三の実施形態では、積み重ね可能な物品として、回転寿司店にて寿司を載せるために用いられる皿を例示したが、本発明はこれに限定されない。本発明にあっては、積み重ね可能な物品は、コップ（グラス）、茶碗、バケツ、パレットなどであってもよい。
積み重ね可能な物品が、コップ（グラス）である場合、例えば、コップ（グラス）の底面に、上述の実施形態と同様にＩＣチップおよびコイル状のアンテナが配設されるか、あるいは、コップ（グラス）の底部に、ＩＣチップおよびコイル状のアンテナが埋設される。
積み重ね可能な物品が、茶碗である場合、例えば、茶碗の糸底の内側に、上述の実施形態と同様にＩＣチップおよびコイル状のアンテナが配設されるか、あるいは、茶碗の本体に、ＩＣチップおよびコイル状のアンテナが埋設される。
積み重ね可能な物品が、バケツである場合、例えば、バケツの底面に、上述の実施形態と同様にＩＣチップおよびコイル状のアンテナが配設されるか、あるいは、バケツの底部に、ＩＣチップおよびコイル状のアンテナが埋設される。
積み重ね可能な物品が、パレットである場合、例えば、パレットの底面に、上述の実施形態と同様にＩＣチップおよびコイル状のアンテナが配設されるか、あるいは、パレットの底部に、ＩＣチップおよびコイル状のアンテナが埋設される。
【符号の説明】
【００５５】
１０，２０，３０・・・ＲＦ機能搭載物品、１１・・・皿、１２，７２・・・ＩＣチップ、１３・・・アンテナ、１４，１５，２１，２２，２３，３１，３２，３３，３４・・・目印１６・・・皿本体、１７・・・糸底。
【図１】
0005542630.tif 000002
【図２】
0005542630.tif 000003
【図３】
0005542630.tif 000004
【図４】
0005542630.tif 000005
【図５】
0005542630.tif 000006